(57)【要約】
【課題】  折り畳み時に傘布の体積を縮小でき美観を具備し、並びに傘骨の抗圧強度を増した折り畳み傘を提供すること。
【解決手段】  傘骨構造上に設けられる傘布の、石突き端部から可動親骨前端の枢設片部分及び可動親骨の外端部に固定され、並びに傘布の各二つの傘骨の間の位置にあって、枢設片の前方に対応する傘布周面に環状の連続折り線が設けられて折り畳み時に多角形状の結束口を形成し、並びに可動親骨と固定親骨間に支持ロッドと挟持管材が設置されて、支持ロッドが可動親骨前端の逆Ｕ形断面部分に設けられ、並びに挟持管材が固定親骨の枢設耳前端の一側に設けられ、延長された挟持シート設計が形成され、これにより圧力を分散して風の吹きつけや外力の衝撃に耐え、並びに折り畳み時に上記折り線の形成する結束口により傘の折り畳み時の体積を減らし、傘骨構造を強化している。
【選択図】        図４
0003101224.tif 000002
【実用新案登録請求の範囲】
【請求項１】
伸縮可能な中棒、折り畳み可能な傘骨セット及び傘骨上を被覆する傘布を具え、該傘骨セットが固定親骨と可動親骨を具え、該固定親骨と可動親骨が伸縮可能とされ、該中棒に上ろくろと中棒に沿ってスライド可能な可動ろくろが設けられた折り畳み傘において、
傘布の上ろくろに近い部分に連続する折り線が設けられて傘の折り畳み時に凹んだ結束口を形成し、該傘布の結束口に傘の石突きが収容されて傘の折り畳み時の体積が縮小されると共に外観が美化されたことを特徴とする、折り畳み傘。
【請求項２】
請求項１記載の折り畳み傘において、傘布の上ろくろ近くに設けられた折り線が傘の折り畳み時に多角星形の結束口を形成するよう設けられたことを特徴とする、折り畳み傘。
【請求項３】
請求項１記載の折り畳み傘において、傘骨セットの可動親骨が枢設片を介して固定親骨内に接続され、可動親骨が固定親骨内でスライド自在とされ、並びに固定親骨の内端が中棒上端の上ろくろに枢設され、可動親骨中段に枢設シートを介して仲介骨の一端が枢設され、該仲介骨の別端が受骨に枢設された折り畳み傘において、
上述の固定親骨の内端から受骨の枢設部分の間にあって、強化用の支持ロッドがその逆Ｕ形断面部分内に設けられ、可動親骨の固定親骨と仲介骨との連結部分の枢設耳の側端に挟持管材が組み付けられて延長された枢設シートを形成し、これにより傘骨間の抗圧点が延長されると共に挟持強化が強化され、支持ロッドと挟持管材の設置により、傘骨構造の断裂損壊の状況の発生が防止されて傘骨構造が強化されたことを特徴とする、折り畳み傘。
【請求項４】
請求項１又は請求項３記載の折り畳み傘において、傘布の内端が中棒の上ろくろ上部に固定され、傘布の中端が可動親骨前端の枢設片に固定され、傘布の外端が可動親骨の外端に固定され、傘布の二つの傘骨間の位置の可動親骨の枢設片前端に沿って折り線が設けられて折り畳み時に傘布が連続する多角星形の凹んだ結束口を形成し、傘折り畳み時に石突きが該結束口に収容されて傘の体積を減らし美観を増すことを特徴とする、折り畳み傘。
【請求項５】
請求項３記載の折り畳み傘において、固定親骨の溝内の支持ロッドがガラス繊維或いはカーボン繊維或いはその混合物の複合材料で形成されたことを特徴とする、折り畳み傘。
【請求項６】
請求項３記載の折り畳み傘において、可動親骨と固定親骨間に設けられた挟持管材が一体成形の中空円管とされ、且つその中空円管の内径に可動親骨と固定親骨が挿入され、該中空円管の下方に枢設片が延設され、該枢設片に枢設孔が設けられて可動親骨の枢設シートとの枢設に供され、これにより緊密挟持と傘骨切断防止が達成されたことを特徴とする、折り畳み傘。
【請求項７】
請求項３記載の折り畳み傘において、挟持管材或いは枢設片がプラスチック材料で一体成形されたことを特徴とする、折り畳み傘。
【考案の詳細な説明】
【技術分野】
【０００１】
本考案は一種の折り畳み傘に係り、特に折り畳み時に傘布の体積を縮小して美観を具備させることができ、並びに傘骨の抗圧強度を増した新規な設計の折り畳み傘に関する。本考案の折り畳み傘は、傘骨構造上に設けられる傘布の、石突き端部から可動親骨前端の枢設片部分及び可動親骨の外端部に固定され、並びに傘布の各二つの傘骨の間の位置にあって、枢設片の前方に対応する傘布周面に環状の連続折り線が設けられて折り畳み時に多角形状の結束口を形成し、並びに可動親骨と固定親骨間に支持ロッドと挟持管材が設置されて、支持ロッドが可動親骨前端の逆Ｕ形断面部分に設けられ、並びに挟持管材が固定親骨の枢設耳前端の一側に設けられ、延長された挟持シート設計が形成され、これにより圧力を分散して風の吹きつけや外力の衝撃に耐え、並びに折り畳み時に上記折り線の形成する結束口により傘の折り畳み時の体積を減らし、傘骨構造を強化している。
【背景技術】
【０００２】
一般に周知の傘骨構造Ａは図１２から図１４に示されるように、一組の傘骨、一組の丁番６、一組の枢設片５及び仲介骨４で組成され、そのうち、可動親骨１の内端は枢設片５を介して固定親骨２内に嵌合され、且つ可動親骨１の逆Ｕ形断面は固定親骨２の逆Ｕ形断面より小さく、可動親骨１が固定親骨２内をスライド自在とされ、且つ該固定親骨２は連接ヘッドにより中棒１０上端の上ろくろ４０に枢設され、別に可動親骨１中段が受骨３に枢設され、且つ受骨３と固定親骨２の間は仲介骨４と丁番６で接続され、並びに丁番６側端に設けられた結束片７で可動親骨１が固定親骨２の内径に収容され、該受骨３の別端の連接ヘッドが中棒１０に組み合わされた可動ろくろ２０と相互に枢設され、中棒１０に握持部１１が設けられて使用者の握持に供され、こうして折り畳み傘の傘骨構造Ａが構成され、雨よけと日よけの用途に供される。
【考案の開示】
【考案が解決しようとする課題】
【０００３】
前述の周知の傘骨構造は、一般にアルミ或いは鉄で逆Ｕ形断面構造が形成され、該可動親骨１の内径は固定親骨２の内径より小さく、可動親骨１が固定親骨２内でスライドし伸縮可能とされ、しかし、この傘骨下方は中空の開口とされ、且つ固定親骨２末端は同様にアルミ或いは鉄製の結束片７で結束されて可動親骨１が固定親骨２内に収容され、また可動親骨と仲介骨４を連結する丁番６を固定し、これは図１１に示されるとおりである。しかし、側方より風邪が吹きつけたり何度も傘の開閉を行なうと、上述の金属部品が直接衝撃を受け、受骨と親骨の枢設部品が負荷に耐えられずに湾曲変形したり、切断されることがあり、傘の正常な機能に影響を与えた。ゆえにその全体構造は不良であり、傘骨の上方に設置される傘布もまた外観がよくなかった。
【０００４】
ゆえに、本考案は一種の折り畳み傘を提供することを目的とし、それは、傘骨構造を強化した構造を具え、可動親骨の逆Ｕ形断面内にガラス繊維ロッドを組み付け、固定親骨と可動親骨を支持する構造の強度を増し、並びに可動親骨と仲介骨を連結する枢設耳の一側に挟持管材を具え、枢設装置を延長し、これにより枢設シートと傘骨の抗圧点の構造強度を増し、外力の傘構造に対して形成する影響を減らし、並びに傘布の上ろくろ端部から可動親骨枢設耳の中間端に折り畳み時に星形の結束口を形成する折り線を設け、折り畳み時に該結束口内に上ろくろとその上の石突き部分を収容できるようにし、このような機構の組合せにより、傘骨を強化すると共に外観を良くしたものとする。
【課題を解決するための手段】
【０００５】
請求項１の考案は、伸縮可能な中棒、折り畳み可能な傘骨セット及び傘骨上を被覆する傘布を具え、該傘骨セットが固定親骨と可動親骨を具え、該固定親骨と可動親骨が伸縮可能とされ、該中棒に上ろくろと中棒に沿ってスライド可能な可動ろくろが設けられた折り畳み傘において、
傘布の上ろくろに近い部分に連続する折り線が設けられて傘の折り畳み時に凹んだ結束口を形成し、該傘布の結束口に傘の石突きが収容されて傘の折り畳み時の体積が縮小されると共に外観が美化されたことを特徴とする、折り畳み傘としている。
請求項２の考案は、請求項１記載の折り畳み傘において、傘布の上ろくろ近くに設けられた折り線が傘の折り畳み時に多角星形の結束口を形成するよう設けられたことを特徴とする、折り畳み傘としている。
請求項３の考案は、請求項１記載の折り畳み傘において、傘骨セットの可動親骨が枢設片を介して固定親骨内に接続され、可動親骨が固定親骨内でスライド自在とされ、並びに固定親骨の内端が中棒上端の上ろくろに枢設され、可動親骨中段に枢設シートを介して仲介骨の一端が枢設され、該仲介骨の別端が受骨に枢設された折り畳み傘において、
上述の固定親骨の内端から受骨の枢設部分の間にあって、強化用の支持ロッドがその逆Ｕ形断面部分内に設けられ、可動親骨の固定親骨と仲介骨との連結部分の枢設耳の側端に挟持管材が組み付けられて延長された枢設シートを形成し、これにより傘骨間の抗圧点が延長されると共に挟持強化が強化され、支持ロッドと挟持管材の設置により、傘骨構造の断裂損壊の状況の発生が防止されて傘骨構造が強化されたことを特徴とする、折り畳み傘としている。
請求項４の考案は、請求項１又は請求項３記載の折り畳み傘において、傘布の内端が中棒の上ろくろ上部に固定され、傘布の中端が可動親骨前端の枢設片に固定され、傘布の外端が可動親骨の外端に固定され、傘布の二つの傘骨間の位置の可動親骨の枢設片前端に沿って折り線が設けられて折り畳み時に傘布が連続する多角星形の凹んだ結束口を形成し、傘折り畳み時に石突きが該結束口に収容されて傘の体積を減らし美観を増すことを特徴とする、折り畳み傘としている。
請求項５の考案は、請求項３記載の折り畳み傘において、固定親骨の溝内の支持ロッドがガラス繊維或いはカーボン繊維或いはその混合物の複合材料で形成されたことを特徴とする、折り畳み傘としている。
請求項６の考案は、請求項３記載の折り畳み傘において、可動親骨と固定親骨間に設けられた挟持管材が一体成形の中空円管とされ、且つその中空円管の内径に可動親骨と固定親骨が挿入され、該中空円管の下方に枢設片が延設され、該枢設片に枢設孔が設けられて可動親骨の枢設シートとの枢設に供され、これにより緊密挟持と傘骨切断防止が達成されたことを特徴とする、折り畳み傘としている。
請求項７の考案は、請求項３記載の折り畳み傘において、挟持管材或いは枢設片がプラスチック材料で一体成形されたことを特徴とする、折り畳み傘としている。
【考案の効果】
【０００６】
本考案は従来の技術と較べて以下のような機能を達成している。
１．傘骨構造を強化している。即ち、本考案は複合材料ガラス繊維支持ロッドと挟持管材の設置により、固定親骨と可動親骨組み付け時の抗圧強度が増し、全体の傘骨が外力を受ける時に傘骨に発生する変形、切断或いは脱出の問題がへらあれ、これにより傘骨構造を強化する機能を達成している。
２．構造が簡単である。即ち本考案の複合材料支持ロッドと挟持管材は一体成形され、且つ組み付けに便利で簡単であり、強化機能を現出することができる。
【考案を実施するための最良の形態】
【０００７】
本考案の折り畳み傘は、中棒、中棒に組み付けられた傘骨セット、及び傘骨の上に接合された傘布で組成され、可動傘骨の内端が枢設片を介して固定親骨内に嵌合され、可動傘骨が固定親骨内をスライドして伸縮可能とされ、並びに固定親骨の内端が中棒の上ろくろに枢設され、且つ該可動傘骨の中段が受骨の一端に枢設され、該受骨の別端が中棒を上下にスライド可能な可動ろくろに枢設され、並びに受骨と固定親骨の間に仲介骨が枢設されて、展開と折り畳み可能な傘の構造が形成されている。本考案の改良部分は、傘布の内端が中棒の上ろくろに固定され、傘布７端が可動親骨の枢設片に固定され、傘布の外端が可動親骨外端に固定され、傘布が各二つの傘骨間にあって上ろくろから可動親骨の枢設片に到る部分の中端に近い部分に折り畳める折り線が設けられて折り畳み時に連続する多角形状の結束口を呈するものとされる。その傘骨構造は、複合材料繊維ロッドが可動親骨の内端から固定親骨と受骨枢設部分の逆Ｕ形断面部分内に設けられ、並びに固定親骨の内端が上ろくろに枢設され、且つ該傘布が固定親骨に固定され、固定親骨外端に設けられた枢設耳末端に挟持管材が組み付けられ、延長された挟持シートの枢設シート構造が形成され、並びに該複合材料繊維ロッドと挟持管材の設置により連結部分の傘骨構造が強化され、並びに挟持管材が有効に可動親骨と固定親骨にかかる力を分散し、傘骨の断裂損壊の状況の発生を防止する。且つ可動親骨の枢設片と傘布の折り線の形成する結束口により傘布の折り畳みを順調に行なってその体積を縮小でき、傘布と傘骨構造全体に実用性と美観を付与している。
【実施例１】
【０００８】
図１から図６及び図７は本考案の折り畳み傘の構造を示す。そのうち、この折り畳み傘の傘骨構造Ｂは、中棒１０、石突き１２、及び中棒に組み付けられた傘骨セット３０を具え、該傘骨セット３０の上方が傘布６０で被覆されている。該傘骨構造Ｂは、複数のロッドで組成され、可動親骨３１の内端は枢設片５０を介して固定親骨３２内に挿入され、且つ該可動親骨３１の逆Ｕ形断面は固定親骨３２の逆Ｕ形断面より小さく、これにより可動親骨３１が固定親骨３２内でスライド可能とされている。該固定親骨３２の内端は中棒１０の上端に組み付けられた上ろくろ４０に回動自在に枢支され、別に該可動親骨３１の中段の適当な部分に枢設シート３１０が設けられて受骨３３との枢設に供される。受骨３３の別端は中棒１０にスライド自在に組み合わされて傘の開閉に供される可動ろくろ２０に枢設される。また固定親骨３２の外端に枢設耳３２０が設けられ、仲介骨３４との枢設に供され、且つ該仲介骨３４の別端が受骨３３に枢設されている。また、中棒１０の下端に握持部１１が設けられ、固定親骨３２と可動親骨３１の上が傘布６０で被覆され、こうして折り畳み傘の傘骨構造Ｂが形成され、使用者に雨傘或いは日傘の機能を提供する。
【０００９】
本考案の主要な改良点は以下のとおりである。傘布６０の内端が中棒１０の上ろくろ４０上端部に固定され、並びに傘布６０が可動親骨３１の内端の枢設片５０と可動親骨３１の中段部分に結びつけられ、並びに傘布６０の外端が可動親骨３１の外端に結びつけられ、傘布６０が各二つの傘骨間にあって上ろくろ４０に接近する部分の傘骨折り畳み時の枢設片５０の内端に沿った部分に折り畳める折り線６１が形成され、折り畳み時に該折り線６１が星型状を形成して凹んだ結束口６２形状を形成し、石突き１２が該結束口６２内に収容される。
【００１０】
また、図７から図１１に示されるのは本考案の折り畳み傘の複合材料（ガラス繊維或いはカーボン繊維或いはその混合物）で形成された支持ロッド７０を示し、それは可動親骨３１内端に嵌め込まれ、並びに該支持ロッド７０の太さは固定親骨３２と枢設された枢設耳３２０内部の逆Ｕ形断面内径にほぼ等しく、こえにより逆Ｕ形断面の傘骨の構造強度を増す。並びに固定親骨３２の枢設耳３２０末端部分に挟持管材５１が組み付けられ、該挟持管材５１は一体成形された中空管体とされ、その中空管径部分に可動親骨３１と固定親骨３２が挿嵌され接合され、且つその管径下縁より枢設片５１０が延伸され、該枢設片５１０に枢設孔５１１が設けられて固定親骨３２の枢設耳３２０と枢設され、緊密に固定親骨３２と可動親骨３１を挟持する機能を提供する。可動親骨３１と固定親骨３２間の内側に設けられた支持ロッド７０と挟持管材５１の設置により、その緊密な挟持と挟持管材５１によりその抗圧点が延伸されたことにより順調且つ強固に可動親骨３１がスライドし、且つ有効にその逆Ｕ形断面の変形、切断或いは脱出、損壊の状況が防止され、並びに構造が強化され、また傘布６０前端の石突きを収容する結束口６２により折り畳み時の体積を減らすことができると共に外観がよいものとされている。
【００１１】
本考案の折り畳み傘は、予め折り線を設けた傘布と複合材料で形成したロッドを挿通した傘骨と、一体成形した挟持管材が組み合わされ、該複合材料のロッドが可動親骨内端から固定親骨の枢設部分まで嵌め込まれ、且つ可動親骨の枢設耳の一側に挟持管材が組み付けられて緊密に固定親骨内を伸縮する可動親骨を挟持し、これによりこの部分の逆Ｕ形断面の傘骨の構造強度が強化され、傘骨がスライドと外力の衝撃により変形、切断されて全体の傘骨構造に影響が生じるのを防止し、有効な支持強化及び緊密挟持の機能を具えた傘骨構造を具え、全体として、確実な産業上の利用性とコスト上のメリットを有し、且つその構造は従来にはなく、ゆえに新規性を有しており、実用新案登録の要件を具備している。
【図面の簡単な説明】
【００１２】
【図１】本考案の傘の全体外観図である。
【図２】本考案の傘骨構造の全体外観図である。
【図３】本考案の傘布の折り畳み動作法事図である。
【図４】本考案の傘布の折り畳み動作法事図である。
【図５】本考案の傘布の折り畳み後の表示図である。
【図６】本考案の傘布の折り畳み後の表示図である。
【図７】本考案の傘骨構造の局部断面図である。
【図８】本考案の傘骨構造の局部分解図である。
【図９】本考案の傘骨の部分構造の断面図である。
【図１０】本考案の固定親骨、可動親骨及び支持ロッドの結合断面図である。
【図１１】本考案の傘骨構造が風圧を受ける時の状態図である。
【図１２】周知の傘骨構造の外観図である。
【図１３】周知の傘骨構造の局部断面図である。
【図１４】周知の傘骨構造が圧力を受けて切断された状態図である。
【符号の説明】
【００１３】
Ａ  傘骨構造                        Ｂ  傘骨構造
１  可動親骨                        ２  固定親骨
３  受骨                            ４  仲介骨
５  枢設片                          ６  丁番
１０  中棒                          １１  握持部
１２  石突き                        ２０  可動ろくろ
３０  傘骨セット
３１  可動親骨                      ３１０  枢設シート
３２  固定親骨                      ３２０  枢設耳
３３  受骨                          ３４  仲介骨
４０  上ろくろ
５０  枢設片                        ５１  挟持管材
５１０  枢設片                      ５１１  枢設孔
６０  傘布                          ６１  折り線
６２  結束口                        ７０  支持ロッド
【図１】
0003101224.tif 000003
【図２】
0003101224.tif 000004
【図３】
0003101224.tif 000005
【図４】
0003101224.tif 000006
【図５】
0003101224.tif 000007
【図６】
0003101224.tif 000008
【図７】
0003101224.tif 000009
【図８】
0003101224.tif 000010
【図９】
0003101224.tif 000011
【図１０】
0003101224.tif 000012
【図１１】
0003101224.tif 000013
【図１２】
0003101224.tif 000014
【図１３】
0003101224.tif 000015
【図１４】
0003101224.tif 000016